(57)【要約】【課題】  最新の撮影スケジュールと撮影者の現在地を把握して、的確かつ効率的な撮影を可能にする。【解決手段】  位置情報取得手段を持つ複数の撮影端末と、前記複数の撮影端末とネットワークを介して接続可能な撮影管理サーバとを備え、前記複数の撮影端末の各端末は、前記撮影端末の現在位置情報と端末ＩＤを前記撮影管理サーバに送信する端末情報通信手段とを備え、撮影管理サーバは、前記端末情報通信手段によって送信された端末情報を基に、最新のスケジュールデータを参照し、前記撮影端末の現在位置と前記スケジュールデータの撮影予定場所を対応付けて、あらかじめ定められた規則に従って撮影を指示するために関連データを検索して撮影指示データを作成する撮影指示データ作成手段と、前記撮影指示データ検索手段により検索した結果得られた前記撮影指示データを前記撮影端末に送信する撮影指示データ通信手段とを備えることを特徴とする撮影管理システム。【選択図】      図１
2006135722.tif 000002
【特許請求の範囲】
【請求項１】
位置情報取得手段を持つ複数の撮影端末と、前記複数の撮影端末とネットワークを介して接続可能な撮影管理サーバとを備え、
前記複数の撮影端末の各端末は、前記撮影端末の現在位置情報と端末ＩＤを前記撮影管理サーバに送信する端末情報通信手段とを備え、
撮影管理サーバは、前記端末情報通信手段によって送信された端末情報を基に、最新のスケジュールデータを参照し、前記撮影端末の現在位置と前記スケジュールデータの撮影予定場所を対応付けて、適切な撮影あらかじめ定められた規則に従って撮影を指示するために関連データを検索して撮影指示データを作成する撮影指示データ作成手段と、
前記撮影指示データ作成手段により作成された前記撮影指示データを前記撮影端末に送信する撮影指示データ通信手段とを備えることを特徴とする撮影管理システム。
【請求項２】
前記スケジュールデータは撮影予定場所、撮影予定日時、撮影予定端末ＩＤ、撮影予定者氏名、撮影予定対象、撮影条件、コメントのいずれかの情報が含まれることを特徴とする請求項１に記載の撮影管理システム。
【請求項３】
前記スケジュールデータは前記管理サーバの記憶装置に書き込まれ、必要に応じてスケジュールデータ更新手段により更新され、最新のスケジュールデータとして常に利用可能であることを特徴とする請求項１に記載の撮影管理システム。
【請求項４】
前記複数の撮影端末の各端末は、撮影指示データ通信手段により前記撮影管理サーバから送信された前記撮影指示データを受信後に撮影受諾結果を前記管理サーバに送信する撮影指示受諾結果通信手段と、
前記撮影指示受諾結果通信手段により前記撮影端末から送信された受諾結果を前記撮影管理サーバが受信して前記撮影指示データに関連付けて受諾結果を記憶し、受諾結果の状況によりスケジュールデータを再検索し、対応する撮影指示データを作成して前記撮影端末に再送信する撮影指示再処理手段とを備えることを特徴とする請求項１に記載の撮影管理システム。
【請求項５】
前記撮影指示データに基づいて撮影を終了した場合には、前記撮影端末の各端末は、撮影結果通信手段により前記撮影管理サーバに撮影結果を送信する撮影結果通信手段と、
前記撮影結果通信手段により前記撮影端末から送信された前記撮影結果を前記管理サーバが受信して前記撮影指示データに関連付けて前記撮影結果を記憶し、前記撮影結果の状況により前記撮影指示データの撮影条件に適合しているかを判別し、もし前記撮影条件に適合していない場合には更に別の撮影指示データを作成して前記撮影端末に再送信する撮影指示再処理手段とを備えることを特徴とする請求項１に記載の撮影管理システム。
【請求項６】
前記複数の撮影端末の各端末は、前記撮影指示データに基づいて撮影を終了した後に、前記撮影指示データに含まれる撮影場所、撮影者氏名、撮影対象、撮影条件、コメントのいずれかの情報を撮影した画像と関連付けて撮影情報記憶手段により各撮影端末の記憶装置に記憶することを特徴とする請求項１に記載の撮影管理システム。
【請求項７】
位置情報取得手段を持つ複数の撮影端末から受信した前記撮影端末の現在位置情報と端末ＩＤからなる端末情報を基に、最新のスケジュールデータを参照し、前記撮影端末の現在位置と前記スケジュールデータの撮影予定場所を対応付けて、適切な撮影あらかじめ定められた規則に従って撮影を指示するために関連データを検索して撮影指示データを作成する撮影指示データ作成手段と、
前記撮影指示データ作成手段により作成された前記撮影指示データを前記撮影端末に送信する撮影指示データ通信手段とを備えることを特徴とする情報処理装置。
【請求項８】
請求項７に記載の情報処理装置であって、
前記複数の撮影端末の各端末から前記撮影指示データに対する受諾結果を受信して前記撮影指示データに関連付けて前記受諾結果を記憶し、前記受諾結果の状況により前記スケジュールデータを再検索し、対応する撮影指示データを作成して前記撮影端末に再送信する撮影指示再処理手段とを備えることを特徴とする情報処理装置。
【請求項９】
請求項７に記載の情報処理装置であって、
前記複数の撮影端末の各端末から撮影結果を受信して前記撮影指示データに関連付けて前記撮影結果を記憶し、前記撮影結果の状況により前記撮影指示データの撮影条件に適合しているかを判別し、もし前記撮影条件に適合していない場合には更に別の撮影指示データを作成して前記撮影端末に再送信する撮影指示再処理手段とを備えることを特徴とする情報処理装置。
【請求項１０】
位置情報取得手段を持つ複数の撮影端末から受信した前記撮影端末の現在位置情報と端末ＩＤからなる端末情報を基に、最新のスケジュールデータを参照し、前記撮影端末の現在位置と前記スケジュールデータの撮影予定場所を対応付けて、適切な撮影あらかじめ定められた規則に従って撮影を指示するために関連データを検索して撮影指示データを作成する撮影指示データ作成工程と、
前記撮影指示データ作成手段により作成された前記撮影指示データを前記撮影端末に送信する撮影指示データ通信工程とを備えることを特徴とする撮影管理方法。
【請求項１１】
請求項１０に記載の撮影管理方法であって、
前記複数の撮影端末の各端末から前記撮影指示データに対する受諾結果を受信して前記撮影指示データに関連付けて前記受諾結果を記憶し、前記受諾結果の状況により前記スケジュールデータを再検索し、対応する撮影指示データを作成して前記撮影端末に再送信する撮影指示再処理工程とを備えることを特徴とする撮影管理方法。
【請求項１２】
請求項１０に記載の撮影管理方法であって、
前記複数の撮影端末の各端末から撮影結果を受信して前記撮影指示データに関連付けて前記撮影結果を記憶し、前記撮影結果の状況により前記撮影指示データの撮影条件に適合しているかを判別し、もし前記撮影条件に適合していない場合には更に別の撮影指示データを作成して前記撮影端末に再送信する撮影指示再処理工程とを備えることを特徴とする撮影管理方法。
【発明の詳細な説明】
【技術分野】
【０００１】
本発明は、撮影者が最新のスケジュールに基づいて確実且つ適切に撮影対象を撮影できるようにすることを支援するために好適な撮影管理方法及びシステムに関するものである。
【背景技術】
【０００２】
従来、撮影すべき対象物・日時・場所などのスケジュールを基に撮影を支援する技術としては、例えば、スケジュールデータを事前に携帯情報端末などに記憶させ、撮影に関する情報を文字・音声・画像にて撮影者が入手・把握することにより、行動する際の補助として利用されている。また特許文献１には監視を目的とした電子カメラに関して、スケジュールデータが保存されているメモリカードを電子カメラに装填しスケジュールデータに基づいて自動的に撮影・機能設定を行なう技術が記載されている。また特許文献２にはデジタル画像撮影時にスケジュール情報を参照し該当するスケジュールデータの情報（キーワードなど）をデジタル画像データの管理情報として利用する技術が記載されている。
【特許文献１】特開２００２−１９９２６９号公報
【特許文献２】特開２００１−４３２４０号公報
【発明の開示】
【発明が解決しようとする課題】
【０００３】
しかしながら、上記従来の技術にあたっては一度設定されたスケジュールを基に撮影を行うのみで、実際に撮影者の現在位置を把握して適切に撮影指示を出すことはできなかった。また撮影者の現在位置を把握するためには、都度撮影者と電話連絡等の手段により確認しなくてはならない。このような状況では複数の撮影者との連絡・調整には更に時間がかかってしまい、撮影者に対して適切な指示をすることは困難であった。さらに撮影者が撮影対象を確実に撮影できたか否かについての状況を管理者が確実に把握する事も困難であり、撮影者が所定の条件を満たさずに撮影現場での撮影を終了してしまうという問題もあった。
【０００４】
本発明は、上記問題を鑑みてなされたものであり、最新の撮影スケジュールと撮影者の現在地を把握して的確かつ効率的な撮影を可能にすることを目的とする。
【課題を解決するための手段】
【０００５】
上記課題を解決するため本発明によれば、
位置情報取得手段を持つ複数の撮影端末と、前記複数の撮影端末とネットワークを介して接続可能な撮影管理サーバとを備え、
前記複数の撮影端末の各端末は、前記撮影端末の現在位置情報と端末ＩＤを前記撮影管理サーバに送信する端末情報通信手段とを備え、
撮影管理サーバは、前記端末情報通信手段によって送信された端末情報を基に、最新のスケジュールデータを参照し、前記撮影端末の現在位置と前記スケジュールデータの撮影予定場所を対応付けて、あらかじめ定められた規則に従って撮影を指示するために関連データを検索して撮影指示データを作成する撮影指示データ作成手段と、
前記撮影指示データ作成手段により作成された前記撮影指示データを前記撮影端末に送信する撮影指示データ通信手段とを備えることを特徴とする撮影管理システムが提供される。
【０００６】
この構成によれば、あらかじめ定められた規則に従って最新の撮影スケジュールデータの中から撮影者の現在地において撮影可能なデータを検索して撮影者に適切な撮影指示を行うことができる。
【０００７】
本発明では、位置情報取得手段を持つ複数の撮影端末と、前記複数の撮影端末とネットワークを介して接続可能な撮影管理サーバとを備え、
前記複数の撮影端末の各端末は、撮影指示データ通信手段により前記撮影管理サーバから送信された前記撮影指示データを受信後に撮影受諾結果を前記管理サーバに送信する撮影指示受諾結果通信手段と、
前記撮影指示受諾結果通信手段により前記撮影端末から送信された受諾結果を前記撮影管理サーバが受信して前記撮影指示データに関連付けて受諾結果を記憶し、受諾結果の状況によりスケジュールデータを再検索し、対応する撮影指示データを作成して前記撮影端末に再送信する撮影指示再処理手段とを備えることを特徴とする撮影管理システムであることを要旨とする。
【０００８】
この構成によれば、撮影者が撮影指示を受けた際に撮影が可能か否かの状況を受付けて再度条件を設定し適切な撮影指示を行うことができる。
【０００９】
本発明では、位置情報取得手段を持つ複数の撮影端末と、前記複数の撮影端末とネットワークを介して接続可能な撮影管理サーバとを備え、
前記撮影指示データに基づいて撮影を終了した場合には、前記撮影端末の各端末は、撮影結果通信手段により前記撮影管理サーバに撮影結果を送信する撮影結果通信手段と、
前記撮影結果通信手段により撮影端末から送信された撮影結果を管理サーバが受信して前記撮影指示データに関連付けて撮影結果を記憶し、撮影結果の状況により前記撮影指示データの撮影条件に適合しているかを判別し、もし撮影条件に適合していない場合には更に別の撮影指示データを作成して前記撮影端末に再送信する撮影指示再処理手段とを備えることを特徴とする撮影管理システムであることを要旨とする。
【００１０】
この構成によれば、撮影指示に基づいて撮影した結果により撮影が予定通りの条件で実施できなかった場合には再度撮影指示を行うことができる。
【００１１】
本発明では、位置情報取得手段を持つ複数の撮影端末と、前記複数の撮影端末とネットワークを介して接続可能な撮影管理サーバとを備え、
前記撮影指示データに基づいて撮影を終了した後に、前記撮影指示データに含まれる撮影場所、撮影者氏名、撮影対象、撮影条件、コメントのいずれかの情報を撮影した画像と関連付けて撮影情報記憶手段により各撮影端末の記憶装置に記憶することを要旨とする。
【００１２】
この構成によれば撮影した画像に関して詳細な情報を撮影者の手間をかけずに確実に付加することができる。
【発明の実施するための最良の形態】
【００１３】
以下、本発明を、カメラマンへの撮影依頼システム、撮影結果確認システムに適用した場合を例に取り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１４】
以下、本発明を具体化した第一の実施例を、図１〜図４に基づいて説明する。
【００１５】
図１は、本発明を適用した撮影依頼システムの全体構成の一例を示すブロック図である。図１において、管理サーバ２０は撮影端末１０とネットワーク３０を介して接続することができるようになっている。この図では直接ネットワーク３０に撮影端末１０と管理サーバ２０が接続されているが、中継局を介してネットワークに接続されても良い。
【００１６】
撮影端末１０は、位置情報取得部１１と、撮影情報記憶部１２と、通信処理部１３と、指示情報処理部１４と、撮影処理部１５とを備えて構成される。
【００１７】
位置情報取得部１１は、ＧＰＳやセンサーなどにより撮影端末１０の現在位置情報（経度・緯度）を取得する。
【００１８】
通信処理部１３により管理サーバ２０との通信を行い、管理サーバ２０は任意の時点で撮影端末１０の現在位置情報を受信することができる。
【００１９】
指示情報処理部１４は、管理サーバ２０から受信した撮影指示データを撮影端末に表示し、撮影指示に対する受諾結果の指示を撮影者から受付けた後、通信処理部１３を介して管理サーバ２０へ受諾結果を送信する。
【００２０】
撮影処理部１５は、撮影された画像データと撮影指示データを対応付けて合成・編集して撮影情報記憶部１２に記憶する。
【００２１】
管理サーバ２０は端末情報処理部２１と、撮影指示データ処理部２２と、管理情報記憶部２３と、管理情報通信部２４とを備えて構成される。
【００２２】
端末情報処理部２１は、管理情報通信部２４により受信した撮影端末の現在位置情報（経度・緯度）と地図データを基に撮影端末の現在地の地名情報を取得し、管理情報記憶部２３に撮影端末ＩＤと共に記憶する。
【００２３】
撮影指示データ処理部２２は、あらかじめ定められた規則にしたがって撮影端末の現在場所とスケジュールデータの撮影予定場所を検索及び比較して撮影指示（依頼）データを作成・更新する。作成された撮影指示（依頼）データは管理情報通信部２４により撮影端末へ送信される。
【００２４】
次に撮影指示データ処理部２２は、送信された撮影指示（依頼）に対して撮影端末から受諾結果を管理情報通信部２４により受信し、取得した受諾結果により対応する撮影指示（依頼）を確定するか判断する。
【００２５】
受諾結果が「ＯＫ」であれば撮影指示（依頼）を確定し、管理情報記憶部２３に記憶・対応データの更新をしてから対象の撮影端末へ撮影指示（依頼）確定の通知を管理情報通信部２４により送信する。一方、受諾結果が「ＯＫ」以外（拒絶・保留など）であれば撮影指示（依頼）の作成・更新を再度行う。
【００２６】
撮影指示（依頼）が確定された後、撮影端末で実際に撮影が行われて撮影結果の情報が管理情報通信部２４により受信される。撮影指示データ処理部２１は、受信した撮影結果に対応する撮影指示（依頼）データを検索し、撮影結果が指定された撮影条件に適合しているか否かを判定する。撮影結果が所定の撮影条件に適合していた場合は撮影指示（依頼）データを完了とする。一方、撮影結果が所定の撮影条件に適合していない場合には、撮影端末に不適合である撮影条件の情報と共に撮影続行の指示を管理情報通信部２４により送信する。
【００２７】
図２は撮影指示（依頼）における撮影端末（撮影者）と撮影場所の位置関係を示す一例のイメージ図である。ここでは、便宜的に撮影端末と撮影者の関係が１対１であるという設定で、撮影者と撮影端末を同等に考える。また撮影者の現在位置から撮影予定場所までの距離ならびに移動時間は、撮影指示（依頼）処理の前には計算あるいは検索により取得されているものとする。
【００２８】
図２において撮影指示（依頼）の判断となる規則の例を下記のとおり説明する。
【００２９】
（規則１：撮影予定場所との距離がもっとも近い撮影者を選定）
撮影者Ｃ１の現在位置Ｐ１と撮影予定場所までの距離が４０Ｋｍと他の撮影者と比較してもっとも近い位置にいることが判る。そこで撮影者Ｃ１がもっとも撮影に適していると判断され、撮影指示（依頼）が対象として選定された撮影者Ｃ１に通知される。
【００３０】
（規則２：撮影予定場所との距離が指定範囲内にいる撮影者を選定）
上記の規則１では選定される撮影者が一人に限定されたが、この場合は複数の撮影者が選定されることがあり得るものとする。例として撮影予定場所との距離が６０Ｋｍ以内にいる撮影者を選定するという規則を適用した場合には、撮影者Ｃ１と撮影者Ｃ３が撮影指示の対象として選定される。この例では「指定の範囲内にいること」の定義として、それぞれの地点間の距離を用いたが、撮影者の現在場所が撮影予定場所と「同じ地域」や「同じ地名」などの定義であっても良い。
【００３１】
（規則３：撮影予定場所までの移動時間が指定範囲内にいる撮影者を選定）
上記の規則１および規則２では地点間の距離を尺度（判断基準）として規則の中で用いたが、規則３では撮影者が撮影予定場所までに移動する所要時間を尺度として用いる。撮影予定場所まで撮影者が移動する交通手段や経路が複数考えられるが、ここでは最短時間で移動できる時間を取得できていることを前提とする。あらかじめ取得できている移動時間が１時間以内の場所にいる撮影者を選定の基準とすれば、撮影者Ｃ１と撮影者Ｃ２が撮影指示の対象として選定される。
【００３２】
（例外処理：撮影者が定められた規則に適合しなかった場合）
上記のような規則に対して全撮影者が撮影予定場所Ｐ４で撮影するには適していないと判断された場合には、撮影予定場所Ｐ４では該当者が検索できないとして撮影不可能のステータスが管理者に通知することができる。ただし事前に例外処理の対処方法として、該当者無しの場合は全ての撮影者に通知すると定義しておけば、登録されている撮影者であれば誰でも撮影指示（依頼）に応答（参加）することができる。
【００３３】
以上は撮影指示（依頼）に関する簡単な例示であるが、撮影指示（依頼）の規則はこれに限定されるものではなく、上記の規則を組合わせても良いし、別の規則を設定しても良い。
【００３４】
図３は、撮影指示（依頼）処理手順を具体的に示したフローチャートである。まず管理サーバ２０は撮影端末１０の位置情報として端末ＩＤ及び現在位置情報（経度・緯度）を受信し（Ｓ２１０）、受信した撮影端末の位置情報（経度・緯度）を基に地図情報を検索して、位置情報（経度・緯度）に対応する地名情報（国名、都道府県名、住所など）を取得後、撮影端末情報を更新する（Ｓ２１１）。この処理により管理サーバ２０は撮影端末１０の現在位置を経度・緯度の情報と地名情報とを関連付けて利用できるようになる。この撮影端末情報には撮影端末ＩＤ、地名情報、その他コメント、更新日時などの情報を書き込み更新する。
【００３５】
次に撮影指示データ検索・作成処理（Ｓ２２０）について説明する。この撮影指示データ検索・作成処理Ｓ２２０は定期的に実行しても良いし、撮影端末の位置情報が更新された都度実行しても良い。またスケジュールデータが更新された都度実行しても良い。この検索処理では、まずスケジュールデータの中から撮影予定日時が現時刻より未来のデータを指示対象として検索する。指示対象として検索されたデータの撮影予定場所と撮影端末の現在位置情報（地名情報）を比較して、撮影予定場所での撮影が可能であると判断された場合には撮影指示（依頼）データを書き込む。
【００３６】
図４は、本発明に係るスケジュールデータの一例を示す概念図である。スケジュールデータにはスケジュール番号、撮影予定場所（地名情報）、撮影予定端末ＩＤ、撮影予定者氏名、撮影予定対象、撮影条件、撮影機器、コメント、優先順位、撮影予定日時、撮影予定枚数などの情報を含む。
【００３７】
スケジュールデータの更新は、管理サーバ２０に設けられたスケジュールデータ更新手段により行い、管理サーバ２０に設けられた専用保守画面を介して更新しても良いし、別途作成されたスケジュールデータをネットワーク或いは可搬型記憶媒体などを介して管理サーバ２０に取り込んでも良い。
【００３８】
スケジュールデータを参照する際には、事前に優先順位、撮影予定日時などをキーとして並べ替えをしておくことにより次処理での処理効率を上げることができる。
【００３９】
図５は本発明に係る撮影指示（依頼）データの一例を示す概念図である。撮影指示（依頼）データには撮影端末ＩＤ、スケジュール番号（案件ＩＤ）、撮影場所、撮影予定日時、データ更新日時、受諾結果、受諾日時などの情報を含む。
【００４０】
図３における撮影端末への撮影依頼処理（Ｓ２３０）について説明する。上記撮影指示データ検索・作成処理（Ｓ２２０）の終了後、撮影指示（依頼）データを読み込み、送信先の撮影端末に対応付けて撮影指示データを送信する。
【００４１】
ここで撮影端末ＩＤ毎にまとめて送信をすることもできる。この一括送信の方法によると撮影端末は撮影依頼データを一括受信・表示することができ、複数ある撮影依頼データの中から条件の良い依頼を選択することが可能となる。また撮影端末ＩＤ毎にまとめて送信することにより、全体の処理効率を上げ、以降の撮影指示（確定）処理（Ｓ２５０）までの処理時間短縮にも繋がる。
【００４２】
しかしながら、撮影依頼データを撮影端末ＩＤ毎に送信することは必須では無い。撮影予定日時の早い順に撮影依頼データを送信することを選んでも良い。このように緊急性や別の条件を指定して撮影依頼データを送信することも可能であり、上記の例に限定されるものではない。
【００４３】
このようにして送信された撮影指示（依頼）データは送信先の撮影端末に表示され、各指示データ毎に撮影者が撮影可能であるか否かを判断（Ｓ１２０）し、撮影可能であれば撮影可能（受諾）として、撮影が不可能であれば撮影不可（拒絶、保留など）として受諾結果を管理サーバ２０が受信する（Ｓ２４０）。
【００４４】
次に受諾結果を受信した管理サーバ２０は受信したデータに対応する撮影指示（依頼）データを検索する。検索された撮影指示（依頼）データが既に別の撮影端末で撮影することに確定されているか否かを確認し（Ｓ２４５）、撮影端末が未確定で且つ受諾結果が「ＯＫ」即ち撮影可能であった場合（受諾時）は（Ｓ２４５：「ＯＫ」）、受信したデータの撮影端末ＩＤを確定撮影端末として更新し、確定撮影端末として更新された撮影端末に撮影指示（確定通知）が行われ（Ｓ２５０）、予定時刻には指定された撮影端末は撮影を開始する（Ｓ１３０）。  一方、受信した受諾結果データが「ＯＫ」以外（拒絶・保留など）であった場合には（Ｓ２４５：「≠ＯＫ」）、撮影指示（依頼）データは確定とならずに撮影端末情報の受信（Ｓ２１０）へ戻り、撮影指示（依頼）データの検索・作成を再度行う。
【００４５】
このように撮影指示（依頼）データ検索・作成処理を繰り返すことにより最新の撮影端末の現在位置情報と最新のスケジュールデータを利用することが可能となり、より適した撮影指示（依頼）データを検索・作成することができる。
【００４６】
以上詳述したように本実施例によれば、以下の効果を得ることができる。
【００４７】
撮影者（カメラマン）が現在何処にいるかを正確に把握した上でスケジュールに登録済みの撮影場所と比較して、適切な撮影依頼を迅速に行う事が可能となり、撮影者が現在位置の報告と撮影場所の確認を都度行うという工数や煩わしさを低減できる。
【００４８】
一度撮影依頼を撮影者が受けた後に、撮影者が別の場所に移動した場合でも移動後の（最新の）場所・状況において再度適切な撮影指示（依頼）を迅速に行うことが可能となる。
【００４９】
撮影依頼を撮影者が受け入れられなかった後に、新規に撮影者が登録された場合、あるいは撮影者が撮影可能な場所に移動した場合など、移動後の（最新の）場所・状況において再度適切な撮影指示（依頼）を迅速に行うことが可能となる。
【００５０】
本発明を具体化した第２の実施例を、図６〜図７に基づいて説明する。図３で使用した各処理の符号と対応させて、図６〜図７でも同じ符号を使用するものとする。
【００５１】
図６は、撮影指示が確定されてから撮影終了までの処理手順を示したフローチャートである。まず管理サーバ２０は撮影端末１０に対して撮影指示（確定）を通知する（Ｓ２５０）。撮影指示（確定）を受けた撮影端末１０は指定の撮影場所において撮影を開始する（Ｓ１３０）。撮影端末１０は撮影された画像データと関連情報を撮影結果データとして編集・作成する（Ｓ１４０）。この撮影結果データの編集・作成処理については図７で詳細な説明をする。
【００５２】
次に管理サーバ２０は撮影端末１０から撮影結果データを受信する（Ｓ２６０）。管理サーバ２０は受信した撮影結果データがスケジュールデータに指定されている撮影条件及び撮影予定枚数を満たしているかのチェックを行う（Ｓ２７０）。ここで撮影条件としては撮影場所、日時、撮影者、撮影機器、画質などの条件があり、撮影予定枚数も含めてチェック項目をあらかじめ設定しておくことができる。
【００５３】
Ｓ２７０のチェックの結果、各チェック項目について実際の撮影結果が所定の条件で基準内であれば（Ｓ２７５：「ＯＫ」）、チェック結果は問題無しと判定され撮影終了（承認）となり（Ｓ２８０）、撮影端末１０へ撮影終了（承認）の通知が行われて、撮影端末１０で撮影終了の確認をする（Ｓ１５０）。
【００５４】
一方、撮影結果データのチェック処理（Ｓ２７０）の結果が「ＯＫ」以外の場合には（Ｓ２７５：「≠ＯＫ」）、チェック時に不適合と判定された項目を撮影指示情報に付加して撮影端末１０に再撮影の指示を行う（Ｓ２９０）。撮影端末では再撮影の指示を受信することにより不適合項目の情報を把握して、不適合部分を是正するように注意して再度撮影を行うことができる。
【００５５】
図７は撮影端末において、画像を撮影してから撮影結果を管理サーバに送信するまでの処理手順を示したフローチャートである。まず撮影端末１０では管理サーバ２０からの撮影指示（確定）を受け撮影を開始する（Ｓ１３０）。
【００５６】
撮影した画像の読込み処理（Ｓ１４１）の後、撮影指示データと撮影画像データとの関連付け処理（Ｓ１４２）が行われる。この処理により実際に撮影された画像が、どの撮影指示（依頼）に対応した画像であるかを紐付けることができ、撮影指示データとの関係を明確にするために撮影者が画像データ毎に都度コメントなどを挿入するというような作業が不要となる。
【００５７】
このようにして撮影された画像に関連する撮影指示（依頼）の情報を付加して撮影結果データの編集処理を行い（Ｓ１４３）編集された撮影結果データを管理サーバ２０に送信する（Ｓ１４４）。
【００５８】
撮影結果データには撮影された画像データに撮影指示（依頼）データの情報であるスケジュール番号、撮影場所、撮影日時、撮影者などの情報が付加されている。通常、撮影結果データの送信は１件の撮影指示（依頼）で一括して行われるが、状況により所定の時刻あるいは所定時間経過時に定期的に送信しても良い。
【００５９】
以上詳述したように本実施例によれば、以下の効果を得ることができる。
【００６０】
撮影依頼を受付けて撮影者が撮影した後に、撮影した画像と撮影指示の情報を関連付けて記録することが簡単かつ確実に行うことが可能となる。これにより撮影した画像の整理・保管も容易となる。
【００６１】
撮影依頼を受付けて撮影された画像（撮影結果）を管理サーバで受信し、撮影結果のチェックを行うことで、指定の条件で確実に撮影された画像のみを撮影案件単位に保管・活用することが可能となる。
【図面の簡単な説明】
【００６２】
【図１】本発明を適用した撮影依頼システムの全体構成の一例を示すブロック図である。
【図２】撮影指示（依頼）における撮影端末（撮影者）と撮影場所の位置関係を示す一例のイメージ図である。
【図３】撮影指示（依頼）処理手順を具体的に示したフローチャートである。
【図４】本発明に係るスケジュールデータの一例を示す概念図である。
【図５】本発明に係る撮影指示（依頼）データの一例を示す概念図である。
【図６】撮影指示が確定されてから撮影終了までの処理手順を示したフローチャートである。
【図７】撮影端末において、画像を撮影してから撮影結果を管理サーバに送信するまでの処理手順を示したフローチャートである。
【符号の説明】
【００６３】
１０…撮影端末、１１…位置情報取得部、１２…撮影情報記憶部、１３…通信処理部、１４…指示情報処理部、１５…撮影処理部、２０…管理サーバ、２１…端末情報処理部、２２…撮影指示データ処理部、２３…管理情報記憶部、２４…管理情報通信部、３０…通信ネットワーク
【図１】
2006135722.tif 000003
【図２】
2006135722.tif 000004
【図３】
2006135722.tif 000005
【図４】
2006135722.tif 000006
【図５】
2006135722.tif 000007
【図６】
2006135722.tif 000008
【図７】
2006135722.tif 000009